(57)【要約】      （修正有）【課題】複数の光出力領域を有する光出力ライトカバーを含むケーシングと、ケーシングに配置される回路基板と、回路基板に配置され、回路基板と電気的に接続される複数の発光ダイオードモジュールとを含む、ブルーライトをカットできる発光ダイオードランプ装置を提供する。【解決手段】複数の光出力領域を有する光出力ライトカバー１０１を含むケーシングと、ケーシングに配置される回路基板と、回路基板に配置され、回路基板と電気的に接続される複数の発光ダイオードモジュールと、を含む、ブルーライトをカットできる発光ダイオードランプ装置で、複数の発光ダイオードモジュールのそれぞれは、複数の光出力領域のそれぞれと対応するように配置され、複数の発光ダイオードモジュールは、発光ダイオード要素、及び蛍光体層を含み、複数の光出力領域のそれぞれに光フィルター材層が配置され、発光ダイオード要素が発光する光線が、蛍光体層及び光フィルター材層を通して、白色光に形成される。【選択図】図１
0003222354.tif 000002
【実用新案登録請求の範囲】
【請求項１】
複数の光出力領域を有する光出力ライトカバーを含むケーシングと、
前記ケーシングに配置される回路基板と、
前記回路基板に配置され、前記前記回路基板と電気的に接続される複数の発光ダイオードモジュールと、
を含む、ブルーライトをカットできる発光ダイオードランプ装置であって、
前記複数の発光ダイオードモジュールのそれぞれは、前記複数の光出力領域のそれぞれと対応するように配置され、
前記複数の発光ダイオードモジュールのそれぞれは、発光ダイオード要素、及び蛍光体層を含み、
前記複数の光出力領域のそれぞれに光フィルター材層が配置され、
前記発光ダイオード要素が発光する光線が、前記蛍光体層及び前記光フィルター材層を通して、白色光に形成される、ことを特徴とする、ブルーライトをカットできる発光ダイオードランプ装置。
【請求項２】
前記光フィルター材層は、ブルーライトカット用材層である、請求項１に記載するブルーライトをカットできる発光ダイオードランプ装置。
【請求項３】
前記光フィルター材層は、前記光出力ライトカバーにおける前記光出力領域の片側に配置される、請求項１に記載するブルーライトをカットできる発光ダイオードランプ装置。
【請求項４】
前記複数の光出力領域に配置される前記光フィルター材層の厚さは同じであり、前記複数の発光ダイオードモジュールのそれぞれが、前記複数の発光ダイオードモジュールのそれぞれと対応する各前記光出力領域を通して発出する前記白色光は、同じ色温度を有する、請求項３に記載するブルーライトをカットできる発光ダイオードランプ装置。
【請求項５】
前記光フィルター材層は、前記光出力ライトカバーにおける前記光出力領域に中に配置される、請求項１に記載するブルーライトをカットできる発光ダイオードランプ装置。
【請求項６】
前記ケーシングは、第１の端部接続要素及び第２の端部接続要素をさらに含み、前記回路基板は、前記第１の端部接続要素及び前記第２の端部接続要素と電気的に接続される、請求項１に記載するブルーライトをカットできる発光ダイオードランプ装置。
【請求項７】
前記第１の端部接続要素及び前記第２の端部接続要素は、電源供給装置に電気的に接続される、請求項６に記載するブルーライトをカットできる発光ダイオードランプ装置。
【請求項８】
前記ブルーライトをカットできる発光ダイオードランプ装置は、ロングストリップチューブ装置である、請求項１に記載するブルーライトをカットできる発光ダイオードランプ装置。
【考案の詳細な説明】
【技術分野】
【０００１】
本考案は、発光ダイオードランプ装置に関し、特にブルーライトをカットできる発光ダイオードランプ装置に関する。
【背景技術】
【０００２】
従来の発光ダイオードランプは、演色性を制御するために、発光ダイオード要素における蛍光粉末製剤には、赤い蛍光粉末を加えなければならない。しかし、赤い蛍光粉末の発光安定性が悪く、発光ダイオードを長時間で使用した後、カラーシフトを起こしやすい。それで、発光ダイオードの耐用年数に悪い影響が及ばされる。
【０００３】
そのため、耐用年数を大幅に延長する発光ダイオードランプ装置を提供することは、この業界にとって解決が待たれる重要な課題の１つとなる。
【考案の概要】
【考案が解決しようとする課題】
【０００４】
本考案が解決しようとする課題では、既存技術の不足に対して、ブルーライトをカットできる発光ダイオードランプ装置を提供する。
【課題を解決するための手段】
【０００５】
上記の技術的課題を解決するために、本考案に、複数の光出力領域を有する光出力ライトカバーを含むケーシングと、前記ケーシングに配置される回路基板と、前記回路基板に配置され、前記回路基板と電気的に接続される複数の発光ダイオードモジュールと、を含むブルーライトをカットできる発光ダイオードランプ装置を提供する方法が採用される。前記複数の発光ダイオードモジュールのそれぞれは、前記複数の光出力領域のそれぞれと対応するように配置される。なかでも、発光ダイオードモジュール毎は、発光ダイオード要素及び蛍光体層を含む。なかでも、光出力領域毎に光フィルター材層が配置される。なかでも、前記発光ダイオード要素による光線は、前記蛍光体層及び前記光フィルター材層を通して、白色光に形成される。
【考案の効果】
【０００６】
本考案による有益な効果の１つとしては、発光ダイオードモジュールの蛍光体層の製剤を調整することにより、長い時間で発光ダイオードモジュールの使用によるカラーシフトの現像を減らすことができ、さらに発光ダイオードの耐用年数を長くすることができる。また、本考案によるブルーライトをカットできる発光ダイオードランプ装置は、蛍光体層製剤が調整された発光ダイオードモジュール、及び光フィルター材層が配置される光出力ライトカバーにより、白色光を生成することができる。また、光フィルター材層の配合比は調整し得るため、ブルーライトをカットできる発光ダイオードランプ装置1が発生する白色光の色温度をさらに調整することができる。
【図面の簡単な説明】
【０００７】
【図１】本考案の実施形態によるブルーライトをカットできる発光ダイオードランプ装置を示す模式図である。
【図２】本考案の実施形態によるブルーライトをカットできる発光ダイオードランプ装置を示す別の模式図である。
【図３】本考案の実施形態によるブルーライトをカットできる発光ダイオードランプ装置における、発光ダイオードモジュールの一側と近接するように配置される光フィルター材層を示す模式図である。
【図４】本考案の実施形態によるブルーライトをカットできる発光ダイオードランプ装置における、光出力ライトカバーの中に配置される光フィルター材層を示す模式図である。
【図５】本考案の実施形態による電源供給装置に電気的に接続される、ブルーライトをカットできる発光ダイオードランプ装置を示す模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
下記より、具体的な実施例で本考案が開示する「ブルーライトをカットできる発光ダイオードランプ」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１０】
［第１の実施形態］
図１及び図２を参照する。図１は、本考案の実施形態によるブルーライトをカットできる発光ダイオードランプ装置を示す模式図である。図２は、本考案の実施形態によるブルーライトをカットできる発光ダイオードランプ装置を示す別の模式図である。
【００１１】
本実施形態において、ブルーライトをカットできる発光ダイオードランプ装置１は、例えば、Ｔ８ランプのようなロングストリップチューブに構成される。実際の製品では、Ｔ８ランプでも様々な長さの仕様があるが、本考案ではそれを制限しない。
【００１２】
本実施形態において、ブルーライトをカットできる発光ダイオードランプ装置１は、ケーシング１０、回路基板１１、及び複数の発光ダイオードモジュール１２Ａ−１２Ｄを含む。
【００１３】
ケーシング１０は、光出力ライトカバー１０１、第１の端部接続要素１０２、及び第２の端部接続要素１０３を含む。
【００１４】
複数の発光ダイオードモジュール１２Ａ−１２Ｄは、回路基板１１に配置され、かつ、複数の発光ダイオードモジュール１２Ａ−１２Ｄは、回路基板１１に電気的に接続される。回路基板１１及び複数の発光ダイオードモジュール１２はいずれもケーシング１０に配置される。詳しく言えば、回路基板１１及び複数の発光ダイオードモジュール１２Ａ−１２Ｄは、いずれも光出力ライトカバーに配置される。なかでも、回路基板１１は、第１の端部接続要素１０２及び第２の端部接続要素１０３と電気的に接続される。本実施形態において、第１の端部接続要素１０２及び第２の端部接続要素１０３は、それぞれ回路基板１１の両側に配置される。
【００１５】
本実施形態において、光出力ライトカバー１０１は複数の光出力領域１０１Ａ−１０１Ｄを有する透光性の高いライトカバーである。本実施形態において、ブルーライトをカットできる発光ダイオードランプ装置１は、４つの発光ダイオードモジュール１２Ａ−１２Ｄを含む。各発光ダイオードモジュール１２は同じ構成に形成され、それぞれが光出力角度及び光出力領域を有する。本実施形態において、発光ダイオードモジュール１２毎の光出力角度は、１３０度に構成され、別の実施形態において、実際の運用に応じて他の光出力角度を備える発光ダイオードモジュールを使用してもよいが、本考案にそれを制限されない。
【００１６】
本実施形態において、発光ダイオードモジュール１２Ａ−１２Ｄは、それぞれ光出力領域１０１Ａ−１０１Ｄと対応するように配置される。即ち、発光ダイオードモジュール１２Ａの光出力領域は、光出力領域１０１Ａと対応するようになる。発光ダイオードモジュール１２Ｂの光出力領域は、光出力領域１０１Ｂと対応するようになる。発光ダイオードモジュール１２Ｃの光出力領域は、光出力領域１０１Ｃと対応するようになる。発光ダイオードモジュール１２Ｄの光出力領域は、光出力領域１０１Ｄと対応するようになる。本実施形態において、光出力領域１０１Ａ−１０１Ｄはそれぞれ隣接する。かつ、光出力領域１０１Ａ−１０１Ｄが合わせれば、発光ダイオードモジュール１２Ａ−１２Ｄにおける光出力ライトカバーの光出力側の面積の総計である。
【００１７】
本実施形態において、各発光ダイオードモジュール１２Ａ−１２Ｄは発光ダイオード要素１２Ａ−１〜１２Ｄ−１及び蛍光体層１２Ａ−２〜１２Ｄ−２をそれぞれ含む。
【００１８】
蛍光体層１２Ａ−２〜１２Ｄ−２は、発光ダイオード要素１２Ａ−１〜１２Ｄ−１の上方に配置される。かつ、本実施形態において、蛍光体層１２Ａ−２〜１２Ｄ−２はいずれも赤い蛍光粉末を含んでいない。即ち、本実施形態において、発光ダイオードモジュール１２Ａ−１２Ｄが発光する光線は、高い色温度のスペクトルを欠くことになる。つまり、発光ダイオードモジュール１２Ａ−１２Ｄが発光する光線はより低い色温度の方に偏る。
【００１９】
また、赤い蛍光粉末は発光安定性が悪いため、光の減衰が激しい。蛍光体層１２Ａ−２〜１２Ｄ−２は、赤い蛍光粉末を含んでいないため、発光ダイオードモジュール１２Ａ−１２Ｄの耐用年数を延長し、長期使用によるカラーシフト現象を軽減することができる。
【００２０】
それに対し、本実施形態において、光出力ライトカバー１０１における光出力領域１０１Ａ−１０１Ｄ毎には、対応的に光フィルター材層１０１Ａ−１〜１０１Ｄ−１が配置される。本実施形態において、光フィルター材層は、ブルーライトをカットする材料層である。即ち、発光ダイオードモジュール１２Ａ−１２Ｄが発光する光線が光フィルター材層１０１Ａ−１〜１０１Ｄ−１に通して色温度の低いブルーライト、パープルライトを除去した後、白色光を生成するようになる。
【００２１】
本実施形態において、光フィルター材層の材料では、異なるスペクトルを有する光線をカットするように、実際の運用に応じて、例えば、キノフタロン（Ｑｕｉｎｏｐｈｔｈａｌｏｎｅ）及び蛍光剤などの材料を選択的に利用し、又は、配合を調整してもよい。
【００２２】
本実施形態において、光フィルター材層１０１Ａ−１〜１０１Ｄ−１は、光出力ライトカバーの光出力領域１０１Ａ−１０１Ｄの上に、又は光出力ライトカバーの光出力領域１０１Ａ−１０１Ｄの中に配置される。詳しく言えば、光フィルター材層は、光出力ライトカバー１０１の表面に塗布される光フィルターコーティングであってもよい。例えば、光出力ライトカバー１０１における発光ダイオードモジュール１２Ａ−１２Ｄに近接する一側、又は光出力ライトカバー１０１の外側のいずれに配置されてもよい。また、光フィルター材層は、光出力ライトカバー１０１に配置されてもよい。即ち、光フィルター材層の材料を光出力ライトカバー１０１の材料に均一的に投入して、一緒に射出成型する。
【００２３】
図２、図３、及び図４を参照する。図３は、本考案の実施形態に係るブルーライトをカットできる発光ダイオードランプ装置における光フィルター材層が発光ダイオードモジュールに近接する片面に配置されることを示す模式図である。図４は、本考案の実施形態に係るブルーライトをカットできる発光ダイオードランプ装置における光フィルター材層が光出力ライトカバーの中に配置されることを示す模式図である。
【００２４】
本実施形態において、光フィルター材層１０１Ａ−１〜１０１Ｄ−１は、光出力ライトカバー１０１における複数の光出力領域１０１Ａ−１０１Ｄの一側に配置される。即ち、図２に示すように、光フィルター材層１０１Ａ−１〜１０１Ｄ−１は、光出力ライトカバー１０１の外面に、即ち、発光ダイオードモジュール１２Ａ−１２Ｄから離れる側に配置される。図３において、光フィルター材層１０１Ａ−１〜１０１Ｄ−１は、光出力ライトカバー１０１の内側に配置され、即ち、発光ダイオードモジュール１２Ａ−１２Ｄと近接する一側に配置される。
【００２５】
本実施形態において、光フィルター材層１０１Ａ−１〜１０１Ｄ−１の厚さは同じである。
【００２６】
上述により、本実施形態において、光フィルター材層１０１Ａ−１〜１０１Ｄ−１の厚さを同じようにして、均一的に光出力ライトカバー１０１の片側に配置され、ブルーライトをカットできる発光ダイオードランプ装置１が発行する光線は、同じ色温度となる白色光である。即ち、各発光ダイオードモジュールから各光出力領域１０１Ａ−１０１Ｄに通して発出する前記白色光では同じ色温度を有している。
【００２７】
別の実施形態において、光フィルター材層１０１Ａ−１〜１０１Ｄ−１は、不均一に光出力ライトカバー１０１の複数の光出力領域１０１Ａ−１０１Ｄの片面に塗布される。即ち、光フィルター材層１０１Ａ−１〜１０１Ｄ−１の厚さは同じでないこととなる。
【００２８】
即ち、別の実施形態において、光フィルター材層を不均一に塗布することにより、異なる光出力領域がそれぞれ異なる色温度を有する光線を形成できる。
【００２９】
図４に示すように、光フィルター材層１０１Ａ−１〜１０１Ｄ−１は、光出力ライトカバー１０１の複数の光出力領域１０１Ａ−１０１Ｄの中に配置されてもよい。詳しく言えば、光フィルター材層の材料を光出力ライトカバー１０１の材料と混合して一緒に射出成型工程を行う。別の実施形態において、ブルーライトをカットできる発光ダイオードランプ装置１が同じ色温度を有する白色光を発光するように、光フィルター材層の光フィルター材は均一的に光出力ライトカバー１０１の材料と混合してもよい。
【００３０】
図５を参照する。図５は、本考案実施形態に係るブルーライトをカットできる発光ダイオードランプ装置が、電源供給装置に電気的に接続されることを示す模式図である。
【００３１】
本実施形態において、ブルーライトをカットできる発光ダイオードランプ装置１に、何れの電源モジュールも配置されていない。詳しく言えば、ブルーライトをカットできる発光ダイオードランプ装置１における第１の端部接続要素１０２及び第２の端部接続要素１０３は、装置の外部で電源供給装置２と電気的に接続される。本実施形態において、ブルーライトをカットできる発光ダイオードランプ装置１にいずれの電源モジュールも配置されていないため、ブルーライトをカットできる発光ダイオードランプ装置１内の温度はより低く、発光ダイオードモジュール１２Ａ−１２Ｄの耐用年数を増やすことができる。本実施形態において、電源供給装置２は、ＡＣ−ＤＣ電力変換器である。別の実施形態において、電源供給装置２が、ＤＣ−ＤＣ電力変換器であってもよい。
【００３２】
別の実施形態において、実際の運用に応じて、電源供給モジュール２を、ブルーライトをカットできる発光ダイオードランプ装置１の中に配置してもよいが、本考案にそれを制限されない。
【００３３】
［実施形態による有益な効果］
本考案による有益な効果の１つとしては、発光ダイオードモジュールにおける蛍光体層製剤を調整することにより、発光ダイオードモジュールの長期使用によるカラーシフト現象を効果的に減らして、さらに発光ダイオードの耐用年数を増やすことができる。また、本考案に係るブルーライトをカットできる発光ダイオードランプ装置は、蛍光体層製剤が調整された発光ダイオードモジュール、及び光フィルター材層が配置された光出力ライトカバーにより、白色光を生成することができる。さらに、光フィルター材層の配合比を調整することにより、ブルーライトをカットできる発光ダイオードランプ装置１が発光する白色光の色温度をさらに調整することができる。
【００３４】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３５】
１：ブルーライトをカットできる発光ダイオードランプ装置
２：電源供給装置
１０１：光出力ライトカバー
１０２：第１の端部接続要素
１０３：第２の端部接続要素
１２Ａ−１２Ｄ：発光ダイオードモジュール
１２Ａ−１〜１２Ｄ−１：発光ダイオード要素
１２Ａ−２〜１２Ｄ−２：蛍光体層
１０１Ａ−１０１Ｄ：光出力領域
１０１Ａ−１〜１０１Ｄ−１：光フィルター材層
【図１】
0003222354.tif 000003
【図２】
0003222354.tif 000004
【図３】
0003222354.tif 000005
【図４】
0003222354.tif 000006
【図５】
0003222354.tif 000007